(57)【要約】【課題】バックライトの調光範囲を拡大し、画像の表現性を損なうことなく外光の照度に応じた最適な画面表示を可能とする液晶晶表示装置の提供を課題とする。【解決手段】液晶パネル２と、該液晶パネルに透過光を照射するバックライトユニット３と、バックライトの発光量を調節する調光手段を備えた液晶表示装置１において、上記バックライトは、輝度の異なる２種類以上の光源１０を有しており、上記光源１０は、それぞれ輝度の調節可能範囲が異なり、外光の照度に応じて上記調光手段でバックライトの発光量を調節する際、上記２種類以上の光源１０が切り替えられて点灯する。【選択図】  図１
2004212798.tif 000002
【特許請求の範囲】
【請求項１】
液晶パネルと、該液晶パネルに透過光を照射するバックライトと、バックライトの発光量を調節する調光手段を備えた液晶表示装置において、上記バックライトは、輝度の異なる２種類以上の光源を有しており、上記光源は、それぞれ輝度の調節可能範囲が異なり、外光の照度に応じて上記調光手段でバックライトの発光量を調節する際、上記２種類以上の光源が切り替えられて点灯することを特徴とする液晶表示装置。
【請求項２】
請求項１に記載の液晶表示装置において、上記バックライトの光源として、輝度の高い光源として冷陰極管を備え、輝度の低い光源として発光ダイオードまたはエレクトロルミネセンス素子のいずれかを備えたことを特徴とする液晶表示装置。
【請求項３】
請求項１又は２に記載の液晶表示装置において、外光の照度に応じてバックライトの発光量を調節する際、外光の照度が所定値より大きい状態では、輝度の高い光源のみを点灯して発光量を調節し、外光の照度が所定値より小さい状態では、輝度の低い光源のみを点灯して発光量を調節することを特徴とする液晶表示装置。
【請求項４】
請求項１乃至３のいずれか１項に記載の液晶表示装置において、外光の照度に応じてバックライトの発光量を調節する際、所定の発光量を境界にして輝度の高い光源と輝度の低い光源とを切り替える制御回路を備えたことを特徴とする液晶表示装置。
【請求項５】
請求項４に記載の液晶表示装置において、上記制御回路は、調節要素を備え、手動により発光量を調節することを特徴とする液晶表示装置。
【請求項６】
請求項４に記載の液晶表示装置において、上記制御回路は、光センサーを備え、自動的に発光量を調節することを特徴とする液晶表示装置。
【発明の詳細な説明】
【０００１】
【発明の属する技術分野】
本発明は、液晶表示装置に関するものであり、特に、カーナビゲーション装置のように、外部から液晶パネルに照射される外光の照度が変化する状況下で使用されるものに関する。
【０００２】
【従来の技術】
従来、液晶用表示装置は透過型、反射型、半透過型に大別される。これら各タイプの液晶表示装置は、使用される環境の外光の照度に応じて選択されて使用されている。一般的に、屋外など周囲が明るい環境における使用が主となる液晶表示装置には、外光を利用する反射型液晶表示装置が使用される。一方、室内など外光が屋外ほど明るくない環境における使用が主となる液晶表示装置には、バックライトからの照射光を利用する透過型液晶表示装置が使用される。
【０００３】
また、近年、携帯電話など使用される場所を選ばないモバイル機器等においては、透過型と反射型を組み合わせた半透過型液晶表示装置が使用されている。
【０００４】
このようなモバイル機器のうち、カーナビゲーション装置等の車載機器などは、例えば、日中と夜間というように、周囲の明るさが極端に異なる環境で使用されるものもある。このような環境下で使用される半透過型液晶表示装置は、反射型モードと透過型モードを切り換えて使用できることに加えて、透過型モードにおいて光源自体の発光量を調節することができるもの使用されている（例えば、特許文献１参照。）。
【０００５】
この場合、バックライトの光源としては、高輝度を確保できることから冷陰極管のみを使用するのが一般的である。
【０００６】
上記冷陰極管をバックライトの光源として使用した液晶表示装置において、冷陰極管の輝度調節は、インバーター回路でＰＷＭ（Ｐｕｌｓｅ  Ｗｉｄｔｈ  Ｍｏｄｕｌａｔｉｏｎ：パルス幅階調）調光によって行われている。ここで、ＰＷＭ調光とは、冷陰極管を駆動する駆動回路に所定周波数の矩形波パルス状電圧を印加し、該パルス状電圧のデューティ比を制御することにより発光量を調節する調光方法をいう。
【０００７】
上記車載機器用の液晶表示装置においては、日中は直射日光が照射される場合もあり、明るい画面表示が要求される。一方、夜間は画面表示が明るいとまぶしさを感じ視認性を害するため、暗い画面表示が要求される。
【０００８】
しかし、上記ＰＷＭ調光による冷陰極管の輝度を調節において、光源の最も高い輝度と最も低い輝度の比は、最も高い輝度を１００とした場合、１００：５を実現するのが限界であった。即ち、画面表示を暗くしようとした場合、ＰＷＭ調光では、パルス信号のデューティ比を下げることにより冷陰極管の輝度を低下させていた。しかし、パルス信号のデューティ比を下げてゆくと、冷陰極管の駆動回路に用いられるトランスの発振能力に起因する微小周期のチラツキが生じる。画面表示を更に暗くするためデューティ比を下げてゆき、デューティ比が限界値を下回ると、チラツキの周波数が表示画面のいわゆる臨界融合周波数を下回り、フリッカ現象と呼ばれる視覚に感知されるチラツキを生じて視認性を著しく害する。
【０００９】
最悪の場合には、光源が点灯せず暗い車内で表示画面が全く表示されない、といった重大な支障を来す場合もある。
【００１０】
【特許文献１】
特開２００２−１４００２２号公報
【００１１】
【発明が解決しようとする課題】
このように従来のＰＷＭ調光による冷陰極管の調光では、夜間の表示画面の輝度を所定値以下に下げることが困難である。そこで、夜間の表示では、ある程度発光量を抑えた表示画面に、本来必要のない黒表示をブレンドしてバックライトの照射光を制限し、画面表示の輝度を低下させるという方法が採られていた。このように黒表示を用いる調光方法にれば、上記光源の輝度の比が１００：５程度であっても、充分に暗い画面表示を実現することは可能であった。
【００１２】
しかし、上記黒表示を用いた液晶表示装置において、画面表示の明るさを低下させることは可能であるが、画面表示の階調幅が狭められ、画像の表現性が低下してしまうといった問題があった。
【００１３】
本発明は、上記これらの問題を解決するためになされたもので、バックライトの調光範囲を拡大し、画像の表現性を損なうことなく外光の照度に応じた最適な画面表示を可能とする液晶晶表示装置の提供を目的とする。
【００１４】
【課題を解決するための手段】
請求項１に係る液晶表示装置は、液晶パネルと、該液晶パネルに透過光を照射するバックライトと、バックライトの発光量を調節する調光手段を備えた液晶表示装置において、上記バックライトは、輝度の異なる２種類以上の光源を有しており、上記光源は、それぞれ輝度の調節可能範囲が異なり、外光の照度に応じて上記調光手段でバックライトの発光量を調節する際、上記２種類以上の光源が切り替えられて点灯することを特徴とする。
【００１５】
従って、本発明に係る液晶表示装置は、２種類以上の光源を有するバックライトを備えている。これらの光源は、それぞれ輝度の調節が可能であり、その調節可能範囲が異なる。それら複数の光源を切り替えて使用することにより、バックライトの発光量の調整可能範囲を拡大することができる。
【００１６】
即ち、外光の照度が大きい状況下では、相対的に輝度の高い光源に切り替えて点灯し、該輝度の高い光源の調節可能範囲内で発光量を調節することにより最適な画面表示を実現する。一方、外光の照度の小さい環境下では、相対的に輝度の低い光源に切り替えて点灯し、該輝度の低い光源の調節可能範囲内で発光量を調節することにより最適な画面表示を実現する。
【００１７】
特に、本発明では、暗い画面表示を行う際に輝度の低い光源のみを点灯させて使用することができる。そのため、本発明に係る液晶表示装置は、従来、暗い画面表示を行う場合に行われていた黒表示を行うことなく画面表示を行うことができ、画面表示の表現性が低下してしまうといった問題を解決することができる。
【００１８】
また、本発明では、２種類以上のバックライトの光源を備えるため、明るい画面表示用の光源と暗い画面表示用の光源に加えて、中間の画面表示用の光源を組み合わせて使用することも可能である。
【００１９】
請求項２に係る液晶表示装置は、請求項１に記載の液晶表示装置において、上記バックライトの光源として、輝度の高い光源として冷陰極管を備え、輝度の低い光源として発光ダイオードまたはエレクトロルミネセンス素子のいずれかを備えたことを特徴とする。
【００２０】
従って、本発明に係る液晶表示装置は、外光の照度が大きい状況下では、相対的に輝度の高い冷陰極管をバックライトの光源として点灯し、明るい表示画面を実現する。一方、外光の照度の小さい環境下では、相対的に輝度の低い発光ダイオード若しくはエレクトロルミネセンス素子をバックライトの光源として点灯し、フリッカ現象のない暗い表示を実現する。発光ダイオードやエレクトロルミネセンス素子は、輝度を低くした場合、フリッカ現象を起こすおそれが少ないことから、暗い画面表示を行う際にも鮮明な画面表示が可能となる。
【００２１】
また、上記外光の照度が中間的な大きさである状況下に対応して、上記いずれかの発光素子を中間の画面表示用の光源として組み合わせて使用することも可能である。
【００２２】
請求項３に係る液晶表示装置は、請求項１又は２に記載の液晶表示装置において、外光の照度に応じてバックライトの発光量を調節する際、外光の照度が所定値より大きい状態では、輝度の高い光源のみを点灯して発光量を調節し、外光の照度が所定値よりも小さい状態では、輝度の低い光源のみを点灯して発光量を調節することを特徴とする。
【００２３】
従って、本発明に係る液晶表示装置は、２種類以上のバックライトの光源のうち、外光の照度に応じた光源のみを選択して点灯することにより、消費電力を抑制することができる。
【００２４】
請求項４に係る発明は、請求項１乃至３のいずれか１項に記載の液晶表示装置において、外光の照度に応じてバックライトの発光量を調節する際、所定の発光量を境界にして輝度の高い光源と輝度の低い光源とを切り替える制御回路を備えたことを特徴とする。
【００２５】
従って、本発明に係る液晶表示装置おいて、予め所定の発光量を設定しておき、バックライトの発光量を調節する際、バックライトの発光量が所定値を越えると上記制御回路は、バックライトの光源を切り替える。例えば、明るい画面表示から徐々にバックライトの発光量を低下させてゆく場合、バックライトの発光量が上記所定の発光量を下回ると、上記制御回路は、バックライトの光源を輝度の高い光源を消灯するとともに、輝度の低い光源を点灯させる。バックライトの光源が切り替わった後も、発光量の調節は可能である。
【００２６】
請求項５に係る発明は、請求項４に記載の液晶表示装置において、上記制御回路は、スイッチ要素を備え、手動により発光量を調節することを特徴とする。
【００２７】
従って、本発明に係る液晶表示装置において、使用者はスイッチ要素を操作することで、表示画面を好みの明るさに設定することができる。
【００２８】
請求項６に係る発明は、請求項４に記載の液晶表示装置において、上記制御回路は、光センサーを備え、自動的に発光量を調節することを特徴とする。
【００２９】
従って、本発明に係る液晶表示装置において、上記調光手段は、光センサーが感知する外光の照度に応じて、自動的にバックライトの発光量を調節する。
【００３０】
【発明の実施の形態】
以下、本発明の実施の形態について図面を参照しながら説明する。図１は、本実施形態に係る液晶表示装置１の概略上面図であり、図２は、該液晶表示装置１の内部構造を示す概略断面図である。
【００３１】
本実施形態に係る液晶表示装置１は、液晶パネル２とバックライトユニット３から構成されている。本実施形態に係るバックライトユニット３は、エッジライト型バックライトユニットであって、制御回路４を内蔵し、ランプケース５、反射板６、ランプリフレクタ７、導光板８、拡散板９、及びバックライト用光源１０を備える。
【００３２】
ランプケース５の一端部に設置されたランプリフレクタ７は、鏡面仕上げを施されたアルミニウム板で形成されており、点灯したバックライト用光源の照射光を効率よく導光板８に出力できるように形成されている。
【００３３】
本実施形態では、バックライト用光源１０として、冷陰極管１００と白色発光ダイオード１０１が使用されている。冷陰極管１００と白色発光ダイオード１０１は、互いの照射光を遮らないように適当な位置関係でランプリフレクタ７の内部に収納されている。
【００３４】
なお、本実施形態では、冷陰極管１００を１本、白色発光ダイオード１０１を３個使用しているが、これら個数は特に限定されない。
【００３５】
導光板８は、アクリル樹脂など透明樹脂からなり、断面くさび形の透明な板状部材である。ランプリフレクタ７で集光されて出力された光源の照射光は、導光板８の厚い側の一端面から入力され、導光板８の内部で全反射を繰り返しながら薄い側の他端面まで進行する。その間に導光板８は、照射光を液晶パネル側の全面に放射させることにより、平面光源として機能する。
【００３６】
反射板６は、導光板８の裏面全体を覆うように配置されている。反射板８は、導光板の裏面へ漏れ出した照射光を再び導光板８へ戻し、その液晶パネル側から取り出すためのものである。
【００３７】
拡散板９は、導光板８から液晶パネルに照射される照射光を拡散させて、導光板８の全面を均一な面光源とすることにより表示パネルの輝度ムラを低減する。
【００３８】
上記冷陰極管１００及び白色発光ダイオード１０１には、電流を供給するための配線が接続されている。冷陰極管１００は、リード線等を介して制御回路４の冷陰極管駆動回路４２に接続されている。
【００３９】
白色発光ダイオード１０１は、フレキシブルプリント配線（Ｆｌｅｘｉｂｌｅ  ＰｒｉｎｔｅｄＣｕｒｃｕｉｔ：ＦＰＣ）に実装されて制御回路４の白色発光ダイオード駆動回路４３に接続されている。
【００４０】
図３は、本実施形態に係る制御回路４の構成図である。図３に示すように、制御回路４は、調光用ＰＷＭ発生回路４１、冷陰極管駆動回路４２、白色発光ダイオード駆動回路４３（図３では、白色ＬＥＤ駆動回路４３と表記する。）を備えている。また、制御回路４は、図示はしないが外光の照度を検出する光センサーや、使用者がバックライトの発光量を調節するための調節要素である可変スイッチなどを備えた調光手段と接続されている。
【００４１】
上記冷陰極管１００の絶対輝度は約２８０００（ｃｄ／ｍ２）であり、白色発光ダイオード１０１の絶対輝度は約２３０（ｃｄ／ｍ２）である。上記液晶パネル２の透過率が約５％であるため、液晶パネル面における輝度で比較すると、冷陰極管１００の点灯時には、５６０（ｃｄ／ｍ２）であり、白色発光ダイオード１０１の点灯時には、１１．５（ｃｄ／ｍ２）程度である。各光源の調光可能範囲は、冷陰極管１００は５６０〜５３２（ｃｄ／ｍ２）程度であり、白色発光ダイオード１０１は１１．５〜０（ｃｄ／ｍ２）程度である。従って、本実施形態において、明るい画面表示用の光源として上記冷陰極管１００を使用し、暗い画面表示用の光源として白色発光ダイオード１０１を使用することにより、明るい画面表示と暗い画面表示の輝度の比を約１００：１程度に設定することができる。
【００４２】
本実施形態において、調光用ＰＷＭ発生回路４１は、上記バックライトユニット３に内蔵されたマイコンのプログラムに従い、図４、図５に示すＰＷＭ信号１とＰＷＭ信号２を発生する。
【００４３】
図４は、冷陰極管１００のみを点灯させるときに調光用ＰＷＭ発生回路４１から出力されるＰＷＭ信号の波形を示したものである。図４から分かるように、冷陰極管１００の点灯時において、調光用ＰＷＭ発生回路４１は、周波数ｆが１５０Ｈｚの冷陰極管用のＰＷＳ信号１を発生する。このとき、白色発光ダイオード用のパルス信号は発生しない。
【００４４】
図５は、白色発光ダイオード１０１のみを点灯させるときに調光用ＰＷＭ発生回路４１から出力されるＰＷＭ信号の波形を示したものである。図５から分かるように、白色発光ダイオード１０１の点灯時において、調光用ＰＷＭ発生回路４１は、周波数ｆが１５０Ｈｚの白色発光ダイオード用のＰＷＭ信号２を発生する。このとき、冷陰極管用のパルス信号は発生しない。
【００４５】
本実施形態に係るバックライトユニット３は、上記調光用ＰＷＭ発生回路４１で発生する各ＰＷＭ信号のパルス幅を変化させてデューティ比を調整することにより各光源の発光量を調節する。
【００４６】
上記調光用ＰＷＭ発生回路４１から出力されたＰＷＭ信号は、冷陰極管駆動回路４２または白色発光ダイオード駆動回路４３に入力される。
【００４７】
図６に本実施形態に係る冷陰極管駆動回路４２の概略回路図を示す。
【００４８】
本実施形態に係る冷陰極管駆動回路４２は、上記冷陰極管１００へ高圧交流電圧を発生させるロイヤー発振回路を備える。ロイヤー発振回路は、トランジスタＴｒ３、トランジスタＴｒ４、コンデンサＣ１及びトランスから形成される。上記調光用ＰＷＭ発生回路４１から出力されたＰＷＭ信号１は、冷陰極管駆動回路４２のＰＷＭ入力端子から入力される。入力されたＰＷＭ信号１は、上記ロイヤー発振回路のトランジスタＴｒ３、トランジスタＴｒ４及びトランスの一次側で直流電圧に変化されるとともに、上記トランスの二次側で高圧交流電圧に変化される。また、本実施形態に係る冷陰極管駆動回路４２は、冷陰極管１００の１端子側に逆位相の電圧を印加することで、冷陰極管に印加される電圧の高圧化を図っている。これにより、冷陰極管の輝度を向上させることが可能となる。
【００４９】
図７に本実施形態に係る白色発光ダイオード駆動回路４３の概略回路図を示す。
【００５０】
本実施形態に係る白色発光ダイオード駆動回路４３は、エミッターフォロア回路で白色発光ダイオード１０１に一定電流を供給する。
【００５１】
本実施形態に係る液晶表示装置において、手動によりバックライトの発光量を調節する方法を説明する。
【００５２】
外光の照度が大きい状態で液晶表示装置を使用している状態で、冷陰極管１００のみが点灯状態にあり、白色発光ダイオード１０１が消灯状態にある場合において、外光の照度が低下し表示画面の視認性が低下した状況を想定する。
【００５３】
外光の照度が大きい状態において、図４に示すように、調光用ＰＷＭ発生回路４１は、Ｈレベルの強度を有するパルス信号であるＰＷＭ１信号を周波数１５０Ｈｚで冷陰極管駆動回路４２に与える。冷陰極管駆動回路４２に入力されるＰＷＭ信号１がＨレベルであるとき、トランジスタＴｒ１及びトランジスタＴｒ２はともに導通状態となり、上記ロイヤー発振回路は発振状態となる。ロイヤー発振回路で発振され高電圧化された電圧は、冷陰極管１００に供給され、冷陰極管１００を点灯状態にする。
【００５４】
外光の照度が低下し表示画面をまぶしく感じると、使用者は外光の明暗に応じて表示画面の明るさが適切になるよう、上記調光手段である可変スイッチを手動で調節する。上記制御回路４は、可変スイッチからの信号に応じて、調光用ＰＷＭ発生回路４１が発生するＰＷＭ信号１のＨレベルとＬレベルのデューティ比を変化させる。これにより、図４に示すＰＷＭ信号１のパルス幅が徐々に狭くなり、その結果、冷陰極管駆動回路４２から冷陰極管１００に供給される電圧が低下することで冷陰極管１００の発光量が低下する。
【００５５】
使用者が更に表示画面の明るさを低下させるように可変スイッチを調節してゆき、冷陰極管１００の発光量が所定値を下回ると、制御回路４は、白色発光ダイオード１０１を点灯状態にするとともに、冷陰極管１０１を非点灯状態に切り替える。  即ち、上記ＰＷＭ信号１がＬレベルになると、冷陰極管駆動回路のトランジスタＴｒ１及びトランジスタＴｒ２が非導通状態となり、ロイヤー発振回路は発振を停止し冷陰極管１００は消灯する。
【００５６】
可変スイッチから光源を切り替える信号が制御回路４に入力されると、調光用ＰＷＭ発生回路４１は、ＰＷＭ信号１をＬレベルに固定するとともに、Ｈレベルのパルス強度を有するＰＷＭ２信号を周波数１５０Ｈｚで白色発光ダイオード駆動回路４３に与える。図７に示す白色発光ダイオード駆動回路４３にＰＷＭ信号２が入力されることにより、該ＰＷＭ信号２は積分回路で積分され、反転電圧に応じてトランジスタＴｒ５が導通し、ツェナーダイオードＴｄで定電圧化された電圧が発生する。
【００５７】
調光用ＰＷＭ発生回路４１から供給されるＰＷＭ信号２がＨレベルの場合、積分回路の出力はＬ出力となり、積分回路の時定数に応じてＨ出力となる。積分回路の出力がＬ出力である状態でトランジスタＴｒ５及びトランジスタＴｒ６は導通状態となり、白色発光ダイオード１０１は点灯状態になる。
【００５８】
調光用ＰＷＭ発生回路４１から供給されるＰＷＭ信号２がＬレベルの場合、積分回路の出力はＨ出力となり、トランジスタＴｒ５及びトランジスタＴｒ６は非導通状態となり、白色発光ダイオード１０１は非点灯状態となる。
【００５９】
白色発光ダイオード１０１の点灯状態において、表示画面の照度を更に低下させる場合、使用者は可変スイッチを手動で調節する。上記制御回路４は、可変スイッチからの信号に応じて、調光用ＰＷＭ発生回路４１が発生するＰＷＭ信号２のＨレベルとＬレベルのデューティ比を変化させる。これにより、図５に示すＰＷＭ信号２のパルス幅が徐々に狭くなり、その結果、白色発光ダイオード駆動回路４３から白色発光ダイオード１０１に供給される電圧が低下することで白色発光ダイオード１０１の発光量が低下する。
【００６０】
本実施形態において積分回路は、白色発光ダイオード１０１の発光応答性を低減して、調光時のフリッカー現象を防止する効果も奏する。
【００６１】
このように、冷陰極管１００の発光量の調節可能範囲を下回る範囲では、白色発光ダイオード１０１を点灯し、白色発光ダイオード１０１の発光量を調節することで、バックライト用光源１０の発光量を自在に調節することができ、表示画面の輝度を明るい状態から暗い状態まで再現可能となる。
【００６２】
本実施形態において、暗い画面表示では、ＰＷＭ信号２のデューティ比を４８．６％とすることで、画面表示の輝度は５．６ｃｄ／ｍ２となる。従って、最も明るい画面表示の５６０ｃｄ／ｍ２と比較して、調光比１００：１を実現することができる。
【００６３】
他の実施の形態として、上記調光手段が光センサーを備え、自動的にバックライト用光源の発光量を調節する液晶表示装置について説明する。
【００６４】
図８は、本実施形態に係る制御回路４等の構成図である。該制御回路４には、光センサーとして、光伝導素子（フォトトランジスタ）ＰＴを用いたスイッチング回路が接続されている。外光の照度が明るい状況では、スイッチング回路からフォトトランジスタＰＴのＧＮＤレベルに応じた信号（以下、「ＧＮＤ信号」という。）が出力される。一方、外光の照度が暗い状況では、フォトトランジスタＰＴのＶＣＣレベルに応じた信号（以下、「ＶＣＣ信号」という。）が出力される。これらの信号が制御回路４に入力されると、制御回路４の調光用ＰＷＭ発生回路４１は、その信号に応じたＰＷＭ信号を出力する。即ち、図９に示すように、調光用ＰＷＭ発生回路４１は、ＧＮＤ信号が入力されると、Ｈレベルで一定値のＰＷＭ信号１とＬレベルで一定値のＰＷＭ信号２を出力する。一方、図１０に示すように、調光用ＰＷＭ発生回路４１は、ＶＣＣ信号が入力されるとＬレベルで一定値のＰＷＭ信号１と、デューティ比４８．６％のパルス信号であるＰＷＭ信号２を出力する。
【００６５】
外光の照度が明るい状況において、上記調光用ＰＷＭ発生回路４１から出力されたＰＷＭ信号１がＨレベルであるため、冷陰極管は点灯状態となり、ＰＷＭ信号２がＬレベルで一定値であるため、白色発光ダイオード１０１は、非点灯状態となる。この冷陰極管１００の発光量を調節は、ＰＷＭ１の信号のデューティ比を変化させることによって行う。具体的には、デューティ比を１００％から数％の範囲で変化させることにより例陰極管１００の発光量を調節することができる。
【００６６】
外光の照度が暗い状況において、上記調光用ＰＷＮ発生回路４１から出力されたＰＷＭ信号１がＬレベルで一定であるため、上記冷陰極管は非点灯状態となり、ＰＷＭ信号２がデューティ比４８．６％のパルス信号であるため、上記白色発光ダイオードは点灯状態となる。この白色発光ダイオードの発光量を調節は、ＰＷＭ信号２のデューティ比を調節することにより可能である。
【００６７】
【発明の効果】
本発明に係る液晶表示装置は、外界の照度に応じて発光量の調節可能範囲が異なるバックライトの光源を切り替えて発光量を調節することができるため、常に視認性が良好で表現性に優れた画面表示を実現することができる。
【図面の簡単な説明】
【図１】本発明の実施形態に係る液晶表示装置の概略上面図である。
【図２】本発明の実施形態に係る液晶表示装置の概略断面図である。
【図３】本発明の実施形態に係る液晶表示装置の制御回路の構成図である。
【図４】本発明の実施形態に係る液晶表示装置の調光用ＰＷＭ発生回路で発生するパルス信号を表わした図である。
【図５】本発明の実施形態に係る液晶表示装置の調光用ＰＷＭ発生回路で発生するパルス信号を表わした図である。
【図６】本発明の実施形態に係る冷陰極管駆動回路の回路図である。
【図７】本発明の実施形態に係る白色発光ダイオード駆動回路の回路図である。
【図８】本発明の他の実施形態に係る液晶表示装置の制御回路の構成図である。
【図９】本発明の他の実施形態に係る液晶表示装置の調光用ＰＷＭ発生回路で発生するパルス信号を表わした図である。
【図１０】本発明の他の実施形態に係る液晶表示装置の調光用ＰＷＭ発生回路で発生するパルス信号を表わした図である。
【符号の説明】
１  液晶表示装置
２  液晶パネル
３  バックライトユニット
４  制御回路
４１  調光用ＰＷＭ発生回路
４２  冷陰極管駆動回路
４３  白色発光ダイオード駆動回路
５  ランプケース
６  反射板
７  ランプリフレクタ
８  導光板
９  拡散板
１００  冷陰極管
１０１  白色発光ダイオード
【図１】
2004212798.tif 000003
【図２】
2004212798.tif 000004
【図３】
2004212798.tif 000005
【図４】
2004212798.tif 000006
【図５】
2004212798.tif 000007
【図６】
2004212798.tif 000008
【図７】
2004212798.tif 000009
【図８】
2004212798.tif 000010
【図９】
2004212798.tif 000011
【図１０】
2004212798.tif 000012